(57)【要約】【課題】動画の撮影中にユーザの意図する場面で撮影時間または画質を優先して撮影することのできる撮像装置を提供する。【解決手段】通常の撮影モードとは別に延長モードを設けておき、動画の撮影中にキー入力部３６に含まれる延長モードキーの操作により延長モードが設定された際に、制御部３２は現在の記録レートを通常撮影モード時よりも下げて動画データをメモリ３８に記録することで撮影時間を延長する。これにより、動画の撮影中にユーザの意図する場面で撮影時間または画質を優先して撮影することができる。【選択図】      図２
2005260838.tif 000002
【特許請求の範囲】
【請求項１】
動画撮影可能な撮影手段と、
この撮影手段によって撮影された動画データを記録するメモリ手段と、
撮影中に任意のタイミングで特定の撮影モードを設定するモード設定手段と、
このモード設定手段によって特定の撮影モードが設定されたときに、撮影時の記録レートを変更して前記メモリ手段に対する動画データの記録を行う記録制御手段と
を具備したことを特徴とする撮像装置。
【請求項２】
動画撮影可能な撮影手段と、
この撮影手段によって撮影された動画データを記録するメモリ手段と、
撮影中に任意のタイミングで延長モードを設定するモード設定手段と、
このモード設定手段によって延長モードが設定されたときに、通常の撮影モード時よりも記録レートを下げて前記メモリ手段に対する動画データの記録を行う記録制御手段と
を具備したことを特徴とする撮像装置。
【請求項３】
通常の撮影モードで撮影した場合の記録可能な撮影時間と前記延長モードで撮影した場合の記録可能な撮影時間をそれぞれ算出する撮影時間算出手段と、
この撮影時間算出手段によって算出された前記通常の撮影モードでの撮影時間と前記延長モードでの撮影時間とを対比させて表示する表示手段と
をさらに具備したことを特徴とする請求項２記載の撮像装置。
【請求項４】
動画撮影可能な撮影手段と、
この撮影手段によって撮影された動画データを記録するメモリ手段と、
複数の異なる延長モードを有し、撮影中に任意のタイミングで前記各延長モードのいずれか１つを設定するモード設定手段と、
このモード設定手段によって延長モードが設定されたときに、当該延長モードに応じた所定の処理にて通常の撮影モード時よりも記録レートを下げて前記メモリ手段に対する動画データの記録を行う記録制御手段と
を具備したことを特徴とする撮像装置。
【請求項５】
通常の撮影モードで撮影した場合の記録可能な撮影時間と前記各延長モードで撮影した場合の記録可能な撮影時間をそれぞれ算出する撮影時間算出手段と、
この撮影時間算出手段によって算出された前記通常の撮影モードでの撮影時間と前記各延長モードでの撮影時間とを対比させて表示する表示手段と
をさらに具備したことを特徴とする請求項４記載の撮像装置。
【請求項６】
前記モード設定手段は、モード設定用の操作スイッチを有し、
前記記録制御手段は、前記操作スイッチの１回の操作により記録レートを変更して動画データの記録を行い、前記操作スイッチが再操作されたときに記録レートを変更前の状態に戻すことを特徴とする請求項１乃至５のいずれか１つに記載の撮像装置。
【請求項７】
前記モード設定手段は、モード設定用の操作スイッチを有し、
前記記録制御手段は、前記操作スイッチが操作されている間、記録レートを変更して動画データの記録を行い、前記操作スイッチの操作が解除されたときに記録レートを変更前の状態に戻すことを特徴とする請求項１乃至５のいずれか１つに記載の撮像装置。
【請求項８】
前記操作スイッチに対し、任意の延長モードを割り付けるモード割付け手段を備え、
前記記録制御手段は、前記操作スイッチが操作された際に、前記モード割付け手段により当該操作スイッチに割り付けられた延長モードに応じた所定の処理を実行して記録レートを変更することを特徴とする請求項６または７記載の撮像装置。
【請求項９】
動画撮影可能な撮像装置に用いられる画像記録方法であって、
動画撮影によって得られる動画データをメモリに記録するステップと、
撮影中に任意のタイミングで特定の撮影モードを設定するステップと、
前記特定の撮影モードが設定されたときに、撮影時の記録レートを変更して前記メモリに対する動画データの記録を行うステップと
を備えたことを特徴とする画像記録方法。
【請求項１０】
動画撮影可能な撮像装置に用いられる画像記録方法であって、
動画撮影によって得られる動画データをメモリに記録するステップと、
撮影中に任意のタイミングで延長モードを設定するステップと、
前記延長モードが設定されたときに、通常の撮影モード時よりも記録レートを下げて前記メモリに対する動画データの記録を行うステップと
を備えたことを特徴とする画像記録方法。
【請求項１１】
通常の撮影モードで撮影した場合の記録可能な撮影時間と前記延長モードで撮影した場合の記録可能な撮影時間をそれぞれ算出するステップと、
前記通常の撮影モードでの撮影時間と前記延長モードでの撮影時間とを対比させて表示するステップと
をさらに備えたことを特徴とする請求項１０記載の画像記録方法。
【請求項１２】
動画撮影可能な撮像装置に用いられる画像記録方法であって、
動画撮影によって得られる動画データをメモリに記録するステップと、
複数の異なる延長モードを有し、撮影中に任意のタイミングで前記各延長モードのいずれか１つを設定するステップと、
前記各延長モードのいずれか１つの延長モードが設定されたときに、当該延長モードに応じた所定の処理にて通常の撮影モード時よりも記録レートを下げて前記メモリに対する動画データの記録を行うステップと
を備えたことを特徴とする画像記録方法。
【請求項１３】
通常の撮影モードで撮影した場合の記録可能な撮影時間と前記各延長モードで撮影した場合の記録可能な撮影時間をそれぞれ算出するステップと、
前記通常の撮影モードでの撮影時間と前記各延長モードでの撮影時間とを対比させて表示するステップと
をさらに備えたことを特徴とする請求項１２記載の画像記録方法。
【請求項１４】
動画撮影可能な撮像装置に搭載されたコンピュータによって実行される画像記録用のプログラムであって、
前記コンピュータに、
動画撮影によって得られる動画データをメモリに記録する機能と、
撮影中に任意のタイミングで特定の撮影モードを設定する機能と、
前記特定の撮影モードが設定されたときに、撮影時の記録レートを変更して前記メモリに対する動画データの記録を行う機能と
を実現させることを特徴とするプログラム。
【請求項１５】
動画撮影可能な撮像装置に搭載されたコンピュータによって実行される画像記録用のプログラムであって、
前記コンピュータに、
動画撮影によって得られる動画データをメモリに記録する機能と、
撮影中に任意のタイミングで延長モードを設定する機能と、
前記延長モードが設定されたときに、通常の撮影モード時よりも記録レートを下げて前記メモリに対する動画データの記録を行う機能と
を実現させることを特徴とするプログラム。
【請求項１６】
前記コンピュータに、
通常の撮影モードで撮影した場合の記録可能な撮影時間と前記延長モードで撮影した場合の記録可能な撮影時間をそれぞれ算出する機能と、
前記通常の撮影モードでの撮影時間と前記延長モードでの撮影時間とを対比させて表示する機能と
をさらに実現させることを特徴とする請求項１５記載のプログラム。
【請求項１７】
動画撮影可能な撮像装置に搭載されたコンピュータによって実行される画像記録用のプログラムであって、
前記コンピュータに、
動画撮影によって得られる動画データをメモリに記録する機能と、
複数の異なる延長モードを有し、撮影中に任意のタイミングで前記各延長モードのいずれか１つを設定する機能と、
前記各延長モードのいずれか１つの延長モードが設定されたときに、当該延長モードに応じた所定の処理にて通常の撮影モード時よりも記録レートを下げて前記メモリに対する動画データの記録を行う機能と
を実現させることを特徴とするプログラム。
【請求項１８】
前記コンピュータに、
通常の撮影モードで撮影した場合の記録可能な撮影時間と前記各延長モードで撮影した場合の記録可能な撮影時間をそれぞれ算出する機能と、
前記通常の撮影モードでの撮影時間と前記各延長モードでの撮影時間とを対比させて表示する機能と
をさらに実現させることを特徴とする請求項１７記載のプログラム。
【発明の詳細な説明】
【技術分野】
【０００１】
本発明は、例えば動画撮影可能なデジタルカメラやデジタルムービカメラなどの撮像装置と、この撮像装置に用いられる画像記録方法及びプログラムに関する。
【背景技術】
【０００２】
近年のデジタルカメラの普及に伴い、基本機能である静止画の撮影機能の他に、動画撮影機能を備えたものが多く出回るようになってきた。動画撮影には、ＭＰＥＧ形式を始めとする様々な情報圧縮技術が存在し、これらの情報圧縮技術を用いて動画データを圧縮してメモリに記録することが行われている。
【０００３】
ところが、デジタルカメラなどの携帯機器に用いられているメモリの容量は比較的少ないため、動画撮影中にメモリ残量が減ってしまい、ユーザが意図するシーンを最後まで撮影できないことがよくある。
【０００４】
従来、このような問題を解消する先行文献として、例えば特許文献１〜３などが知られている。特許文献１では、撮影中にメモリ残量に応じてビットレートおよび圧縮方式を切り替えて、予め指定された撮影時間分の記録を行うことが開示されている。
【０００５】
特許文献２では、ユーザが希望する動画の撮影時間を入力し、その入力された撮影時間とメモリ残量とに基づいて圧縮率を設定することで、ユーザの意図した撮影時間まで撮影可能とすることが開示されている。
【０００６】
特許文献３では、動画撮影中に動画データを所定の圧縮率で圧縮して記録し、その後、メモリの空き容量がユーザの望む容量に足りない場合に既に記録されている動画データを読み出して、さらに高い圧縮率で再圧縮して記録することで、撮影時間を延ばすことが開示されている。
【特許文献１】特開２００３−１１１０２５号公報
【特許文献２】特開２００２−１４２１４５号公報
【特許文献３】特開平１０−２４３３４４号公報
【発明の開示】
【発明が解決しようとする課題】
【０００７】
上述したように、従来、ユーザの指定した撮影時間に合わせて自動的に記録レートを変更する方法が知られている。しかしながら、動画の撮影時間は、実際に撮影を開始してみないと正確には分からないのが普通である。このため、例えば実際よりも短い撮影時間を指定してしまうと、撮影の途中でメモリ容量が足りなくなり、大切なシーンを記録できなくなる可能性がある。
【０００８】
また、記録レートを下げた場合、その分だけ撮影時間を確保できるものの、画質が低下することになる。この場合、前記各特許文献１〜３のように、自動的に記録レートを変更する方法では、その変更のタイミングがユーザには分からないため、大切なシーンの画質が勝手に下げられてしまうなどの問題が生じる。
【０００９】
通常、ユーザは動画を撮影する場合に、その場面場面で「撮影時間」と「画質」のどちらを優先するべきなのかを意識している。つまり、このシーンでは撮影時間が優先で最後まで撮影したいとか、このシーンは画質優先で綺麗に撮ることができれば、後は途中で撮影できなくなっても構わないとか、また、後で大事なシーンが控えているから、それまでは画質を落として撮影時間を確保しておくなどである。このようなことを自動的に行うことは困難である。
【００１０】
そこで、本発明は、動画の撮影中にユーザの意図する場面で撮影時間または画質を優先して撮影することのできる撮像装置、画像記録方法及びプログラムを提供することを目的とする。
【課題を解決するための手段】
【００１１】
本発明の撮像装置は、動画撮影可能な撮影手段と、この撮影手段によって撮影された動画データを記録するメモリ手段と、撮影中に任意のタイミングで特定の撮影モードを設定するモード設定手段と、このモード設定手段によって特定の撮影モードが設定されたときに、撮影時の記録レートを変更して前記メモリ手段に対する動画データの記録を行う記録制御手段とを具備して構成される。
【００１２】
このような構成によれば、動画の撮影中にユーザが任意のタイミングで特定の撮影モードを設定することにより、通常の撮影時とは異なる記録レートで動画データの記録を行うことができる。したがって、特定の撮影モード時の記録レートを通常の撮影時よりも下げるようにしておけば、その時点で撮影時間を延長することができ、また、特定の撮影モード時の記録レートを通常の撮影時よりも上げるようにしておけば、その時点で高画質で記録を行うことができる。
【００１３】
本発明の撮像装置は、動画撮影可能な撮影手段と、この撮影手段によって撮影された動画データを記録するメモリ手段と、撮影中に任意のタイミングで延長モードを設定するモード設定手段と、このモード設定手段によって延長モードが設定されたときに、通常の撮影モード時よりも記録レートを下げて前記メモリ手段に対する動画データの記録を行う記録制御手段とを具備して構成される。
【００１４】
このような構成によれば、撮影中に任意のタイミングで延長モードを設定することで、記録可能な残りの撮影時間を延ばすことができる。したがって、例えば撮影時間が残り少ないときに、どうしても記録しておきたいシーンがあった場合には、延長モードを利用してそのシーンの動画データを記録したり、綺麗に撮りたいシーンでは通常の撮影モードにて高画質で記録するなど、その場面場面で撮影時間または画質を優先して撮影することができる。
【００１５】
また、本発明は、前記撮像装置において、通常の撮影モードで撮影した場合の記録可能な撮影時間と前記延長モードで撮影した場合の記録可能な撮影時間をそれぞれ算出する撮影時間算出手段と、この撮影時間算出手段によって算出された前記通常の撮影モードでの撮影時間と前記延長モードでの撮影時間とを対比させて表示する表示手段とをさらに具備したことを特徴とする。
【００１６】
このような構成によれば、撮影中に通常の撮影モードと延長モードの両方の撮影時間が比較可能な状態で表示されるので、どのモードで撮影すべきかをそれぞれの残り時間を考慮して判断することができる。
【００１７】
本発明の撮像装置は、動画撮影可能な撮影手段と、この撮影手段によって撮影された動画データを記録するメモリ手段と、複数の異なる延長モードを有し、撮影中に任意のタイミングで前記各延長モードのいずれか１つを設定するモード設定手段と、このモード設定手段によって延長モードが設定されたときに、当該延長モードに応じた所定の処理にて通常の撮影モード時よりも記録レートを下げて前記メモリ手段に対する動画データの記録を行う記録制御手段とを具備して構成される。
【００１８】
このような構成によれば、撮影中に複数の異なる延長モードの中でユーザの望む延長モードを用いて撮影時間を延ばすことができる。
【００１９】
また、本発明は、前記撮像装置において、通常の撮影モードで撮影した場合の記録可能な撮影時間と前記各延長モードで撮影した場合の記録可能な撮影時間をそれぞれ算出する撮影時間算出手段と、この撮影時間算出手段によって算出された前記通常の撮影モードでの撮影時間と前記各延長モードでの撮影時間とを対比させて表示する表示手段とをさらに具備したことを特徴とする。
【００２０】
このような構成によれば、撮影中に通常の撮影モードと複数の異なる延長モードのそれぞれの撮影時間が比較可能な状態で表示されるので、それぞれの残り時間を考慮して各モードの切り替えを行うことができる。
【００２１】
また、本発明は、前記撮像装置において、前記モード設定手段は、モード設定用の操作スイッチを有し、前記記録制御手段は、前記操作スイッチの１回の操作により記録レートを変更して動画データの記録を行い、前記操作スイッチが再操作されたときに記録レートを変更前の状態に戻すことを特徴とする。
【００２２】
このような構成によれば、ユーザがモード設定用の操作スイッチを１回押下するなどの所定の操作を行うことにより記録レートが変更されて、そして、操作スイッチを再操作することにより記録レートが変更前の状態に戻る。
【００２３】
また、本発明は、前記撮像装置において、前記モード設定手段は、モード設定用の操作スイッチを有し、前記記録制御手段は、前記操作スイッチが操作されている間、記録レートを変更して動画データの記録を行い、前記操作スイッチの操作が解除されたときに記録レートを変更前の状態に戻すことを特徴とする。
【００２４】
このような構成によれば、ユーザが操作スイッチを押下し続けるなどの所定の操作を行うことでにより、その間、記録レートが変更された状態で動画データの記録が行われ、そして、操作スイッチを離すなどの解除操作を行うことで、記録レートが変更前の状態に戻る。
【００２５】
また、本発明は、前記撮像装置において、前記操作スイッチに対し、任意の延長モードを割り付けるモード割付け手段を備え、前記記録制御手段は、前記操作スイッチが操作された際に、前記モード割付け手段により当該操作スイッチに割り付けられた延長モードに応じた所定の処理を実行して記録レートを変更することを特徴とする。
【００２６】
このような構成によれば、ユーザがモード設定用の操作スイッチに任意の延長モードを割り付けることができ、動画撮影中にその操作スイッチを任意のタイミングで操作すると、当該操作スイッチに割り付けられた延長モードに応じた所定の処理にて記録レートが変更される。
【発明の効果】
【００２７】
本発明によれば、通常の撮影モードとは異なる記録レートを有する特定の撮影モードを設けておき、この特定の撮影モードがスイッチ操作などにより任意のタイミングで設定された際に、記録レートを変更して動画データの記録を行うようにしたことで、動画撮影中にユーザの意志を反映させて撮影時間または画質を優先して撮影を行うことができる。
【発明を実施するための最良の形態】
【００２８】
以下、図面を参照して本発明の実施形態を説明する。
【００２９】
（第１の実施形態）
図１は本発明の第１の実施形態における撮像装置として動画撮影可能なデジタルカメラを例にした場合の外観構成を示すものであり、図１（Ａ）が主に前面の、図１（Ｂ）が主に背面の構成を示す斜視図である。
【００３０】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００３１】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００３２】
また、電源キー８は、電源のオン／オフ毎に操作するためのキーである。シャッタキー９は、撮影タイミングを指示するためのキーである。
【００３３】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、及び表示部１７を配する。
【００３４】
モードスイッチ１０は、例えばスライドキースイッチにより構成され、基本モードである記録モード「Ｒ」と再生モード「Ｐ」を切り換えるためのものである。前記記録モード「Ｒ」には、静止画モード「Ｒ１」、動画モード「Ｒ２」が含まれる。静止画モード「Ｒ１」は静止画の撮影を行うためのモード、動画モード「Ｒ２」は動画の撮影を行うためのモードである。
【００３５】
前記シャッタキー９は、これらのモード「Ｒ１」、「Ｒ２」に共通に使用される。すなわち、静止画モード「Ｒ１」では、シャッタキー９が押下されたときのタイミングで静止画の撮影が行われる。動画モード「Ｒ２」では、シャッタキー９が押下されたときのタイミングで動画の撮影が開始され、シャッタキー９が再度押下されたときにその動画の撮影が終了する。
【００３６】
メニューキー１２は、各種メニュー項目等を選択させる際に操作する。十字キー１３は、上下左右各方向へのカーソル移動用のキーが一体に形成されたものであり、表示されているメニュー項目等を移動させる際に操作する。セットキー１４は、前記十字キー１３の中心位置に配置され、その時点で選択されているメニュー項目内容等を設定するために操作する。
【００３７】
ストロボチャージランプ１６は、光学ファインダ１５に近接して配設されたＬＥＤランプでなり、このデジタルカメラ１のユーザが光学ファインダ１５を覗いている場合と表示部１７を見ている場合のいずれであってもストロボのチャージ状態等をユーザに視認させる。
【００３８】
表示部１７は、バックライト付きのカラー液晶パネルで構成されるもので、撮影時には電子ファインダとしてスルー画像のモニタ表示を行う一方で、再生時には再生対象として選択された画像等を表示する。
【００３９】
さらに、本実施形態では、デジタルカメラ１の背面に動画撮影時の撮影時間を延長するための延長モードキー１８が設けられている。この延長モードキー１８は押下スイッチからなり、この延長モードキー１８を一回押すと動画撮影時間の延長モード「ＥＸ」が設定され、再度押下すると延長モード「ＥＸ」が解除されるように構成されている。
【００４０】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられる。
【００４１】
図２はデジタルカメラ１の電子回路構成を示すブロック図である。
【００４２】
このデジタルカメラ１には、前記撮影レンズ２を構成するレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ２を通過する光を受光し、その受光量に応じた画像データを取得する。
【００４３】
基本モードである記録モード時において、ＣＣＤ２３がタイミング発生器（ＴＧ）２４、垂直ドライバ２５によって走査駆動され、一定周期毎に結像した光像に対応する光電変換出力を１画面分出力する。
【００４４】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４５】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行う。
【００４６】
制御部３２は、ＣＰＵと、このＣＰＵで実行される動作プログラムを記憶したＲＯＭ、及びワークメモリとして使用されるＲＡＭなどを含むマイクロコンピュータにより構成される。この制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４７】
デジタルビデオエンコーダ３５は、前記輝度及び色差信号をＶＲＡＭコントローラ３３を介してＶＲＡＭ３４より定期的に読出し、これらのデータを元にビデオ信号を発生して表示部１７に出力する。
【００４８】
この表示部１７は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００４９】
このように、表示部１７にその時点での画像がモニタ画像としてリアルタイムに表示されている状態で、例えば静止画撮影を行いたいタイミングでシャッタキー９を押下操作すると、トリガ信号が発生する。
【００５０】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５１】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５２】
そして、得た符号データを１画像のデータファイルとして該画像処理部３７から読出して記録用のメモリ３８に書き込む。このメモリ３８としては、予め本体に内蔵されたメモリの他に、記録媒体として着脱自在に装着されるメモリカードなどを含む。１フレーム分の輝度及び色差信号の圧縮処理及びメモリ３８への全圧縮データの書込み終了に伴なって、制御部３２はＣＣＤ２３からＤＲＡＭ３１への経路を再び起動する。
【００５３】
また、制御部３２には、さらにＵＳＢインタフェース（Ｉ／Ｆ）３９、ストロボ駆動部４０が接続される。
【００５４】
ＵＳＢインタフェース３９は、ＵＳＢコネクタを介して有線接続されるパーソナルコンピュータ等の他の情報端末装置との間で画像データその他の送受を行う場合の通信制御を行う。ストロボ駆動部４０は、撮影時に図示せぬストロボ用の大容量コンデンサを充電した上で、制御部３２からの制御に基づいて前記ストロボ発光部６を閃光駆動する。
【００５５】
なお、前記キー入力部３６は、上述したシャッタキー９の他に、電源キー８、モードスイッチ１０、メニューキー１２、十字キー１３、セットキー１４、延長モードキー１８などを含み、これらのキー操作に伴なう信号は直接制御部３２へ送出される。
【００５６】
また、静止画像ではなく動画像の撮影時においては、シャッタキー９が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）やｍｏｔｉｏｎ−ＪＰＥＧなどの手法により撮影動画をデータ圧縮し、この撮影動画データをメモリ３８へ記録する。そして、再度シャッタキー９が操作されると、動画データの記録を終了する。
【００５７】
一方、基本モードである再生モード時には、制御部３２がメモリ３８に記録されている画像データを選択的に読出し、画像処理部３７で記録モード時にデータ圧縮した手順と全く逆の手順で圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、表示部１７で再生出力させる。
【００５８】
選択した画像データが静止画像ではなく動画像であった場合には、その選択した動画像ファイルを構成するＭＰＥＧ動画データの再生を実行し、すべての動画像データの再生を終了した時点で、例えば、次に再生の指示がなされるまで先頭に位置する静止画像データを表示するなどを行う。
【００５９】
この他に、特に図示しないが、例えば携帯時の電源として用いられるバッテリとそのバッテリの電圧供給制御部や、マイク５およびスピーカ１１に対する音声データの処理を行うための音声処理部などが備えられている。
【００６０】
次に、前記のように構成されたデジタルカメラ１を用いて動画撮影を行う場合について説明する。
【００６１】
なお、以下のフローチャートで示される処理は、デジタルカメラ１に搭載されたマイクロプロセッサである制御部３２がプログラムを読み込むことにより実行される。後述する他の実施形態の処理についても同様であり、制御部３２がこれらの処理を実現するためのプログラムを読み込むことで実行される。
【００６２】
図３は第１の実施形態におけるデジタルカメラ１の動画撮影処理を示すフローチャートである。
【００６３】
まず、ユーザが図１に示したモードスイッチ１０の操作により動画モードを設定した状態で（ステップＡ１１）、シャッタキー９を押下すると（ステップＡ１２のＹｅｓ）、制御部３２はシャッタキー９が再度押下されるまでの間、動画の撮影処理を実行する（ステップＡ１３）。なお、このときの撮影処理の動作については図２で既に説明しているため、ここでは詳しい説明を省略するものとする。
【００６４】
初期状態では、通常の撮影モードが設定されており、動画撮影によって得られた動画データは画像処理部３７にて所定の方式で圧縮された後、メモリ３８に記録される。「通常の撮影モード」とは、予め決められた記録レートで動画データを記録するモードのことであり、高画質が保証されている。これに対し、「延長モード」では、通常の撮影モードよりも記録レートを下げて動画データを記録するモードのことであり、通常の撮影モードに比べて撮影時間は長くなるが、その反面、低画質となる。
【００６５】
ここで、動画撮影中において、制御部３２は通常の撮影モードで撮影した場合の記録可能な撮影時間と、延長モードで撮影した場合の記録可能な撮影時間をそれぞれ算出して（ステップＡ１４）、これらの撮影時間を対比させて表示部１７の画面上に所定の位置に表示する（ステップＡ１５）。
【００６６】
なお、各モードの撮影時間は、現在のメモリ３８の残量とそれぞれの記録レートとに基づいて算出される。ここで言う「記録レート」とは、単位時間当たりの発生符号量のことであり、延長モードでは、圧縮率を上げている分、通常の撮影モードよりも発生符号量が少なく、記録レートは低い。
【００６７】
図４は第１の実施形態におけるデジタルカメラの動画撮影中に表示される撮影時間の表示例を示す図である。この例では、表示部１７の右上部分に、通常の撮影モードにおける現時点での残りの撮影時間（８分２６秒）と、延長モードにおける現時点での残りの撮影時間（１６分５２秒）が並べて表示されている。この場合、現在設定されているモードに対応した撮影時間が例えば反転表示や別の色で表示されるなど、他のモードと区別可能な形態で表示される。
【００６８】
このように、撮影中に通常の撮影モードと延長モードの両方の撮影時間が比較可能な状態で表示されるので、ユーザは撮影中の表示画面を見ながら、このまま高画質を保ちながら通常の撮影モードで撮影を続けるか、画質を落としてでもいいから延長モードに切り替えて撮影時間を延ばすべきかを適宜判断することができる。
【００６９】
ここで、ユーザが延長モードキー１８を押下すると（ステップＡ１６のＹｅｓ）、制御部３２はその延長モードキー１８が押下されたときのタイミングで延長モードを設定し、現在の記録レートを通常の撮影モード時よりも下げて動画データの記録を行うことで撮影時間を延長する（ステップＡ１７）。
【００７０】
具体的には、動画データの圧縮率を通常の撮影時よりも上げることで、記録レート（単位時間当たりの発生符号量）を下げて動画データを記録する。なお、どのくらい圧縮率を上げるのかは任意に設定可能であり、また、その都度、現在のメモリ残量に応じて決定していも良い。このレート下げによる記録動作は、ユーザが延長モードキー１８を再度押下して延長モードを解除するまで継続的に行われる。この間、記録可能な撮影時間が通常の撮影モードよりも延長されることになる。
【００７１】
すなわち、図５に示すように、通常の撮影モードでは、例えば記録レートが２Ｍｂｐｓで撮影しているものとして、残りの容量が３０Ｍｂｉｔとすると、残りの記録可能な撮影時間Ｔ１は約１５秒である。ここで、延長モードキー１８を押すと、通常よりも低い記録レートに変更される。例えば記録レートを通常時の１／２に変更するものとすると（２Ｍｂｐｓ→１Ｍｂｐｓ）、残りの記録可能な撮影時間Ｔ２は約３０秒となり、通常時の２倍に延長することができる。
【００７２】
また、このような延長モードが設定された状態で、ユーザにより延長モードキー１８が再押下されると（ステップＡ１８のＹｅｓ）、制御部３２は延長モードを解除して記録レートを元の状態に戻して動画データの記録を行うことになる（ステップＡ１９）。
【００７３】
シャッタキー９の再押下により動画撮影の終了を明示的に指示すると（ステップＡ２０のＹｅｓ）、ここでの動画撮影処理が終了する。
【００７４】
このように、動画撮影中にユーザが延長モードキー１８を操作することで、任意のタイミングで延長モードを設定して残りの撮影時間を延ばすことができる。したがって、例えば撮影時間が残り少ないときに、どうしても記録しておきたいシーンがあった場合には、延長モードを設定すれば、そのシーンの動画データを記録することができる。また、逆の使い方として、例えば最初に延長モードにして低画質で撮影しながら、綺麗に撮りたいシーンが出現した場合に延長モードを解除して通常の撮影モードにて高画質で記録するといった利用も可能である。
【００７５】
つまり、動画の撮影中において、ユーザがその場面場面で撮影時間と画質のどちらを優先するのかを考えながら、通常撮影モードにて高画質で撮影したり、延長モードに切り替えて撮影時間を延ばして撮影を行うことができる。
【００７６】
なお、前記第１の実施形態では、延長モードキー１８によるモード切り替え方法として、延長モードキー１８を一回押下したときに延長モードを設定し、再度押下したときに延長モードを解除して通常の撮影モードに戻るものとしたが、例えば力を加えているときだけ押下しているようなプッシュボタン式の延長モードキー１８を用いることにより、ユーザがこの延長モードキー１８を押し続けている間は、延長モードを設定し、延長モードキー１８を離したときに延長モードを解除して通常の撮影モードに戻るような構成であっても良い。
【００７７】
また、延長モード時に記録レートを低下させる方法としては、圧縮率を上げる方法の他に、例えばＭＰＥＧ方式であれば、ＧＯＰ（Ｇｒｏｕｐ  ｏｆ  Ｐｉｃｔｕｒｅｓ）構造におけるＩピクチャやＰピクチャの数を減少させる方法であっても良い。なお、Ｉピクチャは動き予測なしのピクチャであり、データ量は最も多い。Ｐピクチャは過去のフレームから一方向のフレーム間予測を行い、その差分を符号化したもので、データ量はＩピクチャとＢピクチャの中間である。Ｂピクチャは過去と未来の２つのフレームから二方向のフレーム間予測を行い、その差分を符号化したもので、データ量は最も少ない。
【００７８】
また、別の方法として、カラー画像を白黒画像に変換する、階調数を下げるといった方法や、画像サイズを小さくする、フレームレートを下げる、ＹＵＶインタリーブを情報量の少ない方へ変換するなどの方法を用いても良い。
【００７９】
（第２の実施形態）
次に、本発明の第２の実施形態について説明する。
【００８０】
第２の実施形態では、複数の異なる延長モードを有し、動画撮影時にこれらの延長モードのいずれか１つを任意のタイミングで設定することで、その延長モードに応じた所定の処理にて撮影時間を延長するようにしたものである。各延長モードに関する処理としては、例えば「圧縮率を上げる」、「カラー画像を白黒画像に変換する」、「階調数を下げる」など多数用意されており、ユーザはその中で所望の延長モードを任意に選ぶことができる。
【００８１】
図６は第２の実施形態におけるデジタルカメラの撮影操作部の一例を示す図であり、前記第１の実施形態における延長モードキー１８に代わってデジタルカメラ１の背面（図１（Ｂ）参照）などに設置される。
【００８２】
この撮影操作部５０には、複数（ここでは３つ）の延長モードキー５０ａ〜５０ｃが設けられている。これらの延長モードキー５０ａ〜５０ｃは押下スイッチからなり、それぞれに一回押すことで動画撮影時間の延長モードが設定され、再度押下すると延長モードが解除されるように構成されている。
【００８３】
また、これらの延長モードキー５０ａ〜５０ｃには、予め用意された複数の異なる延長モードを任意選択的に割り付けることができる。
【００８４】
図７は第２の実施形態におけるデジタルカメラのモード割付け画面の一例を示す図である。
【００８５】
このモード割付け画面５１には、前記撮影操作部５０の３つの延長モードキー５０ａ〜５０ｃに対し、それぞれに異なる延長モードを割り付けるためのモード設定部５２、５３、５４が設けられている。ユーザはこのモード設定部５２、５３、５４に所望の延長モードを所定の操作により入力した後、「ＯＫ」ボタン５５を押下する。
【００８６】
図中の「延長モードキー１」、「延長モードキー２」「延長モードキー３」は延長モードキー５０ａ〜５０ｃに対応しており、この例では、「延長モードキー１」（延長モードキー５０ａ）に対して「白黒画像延長モード」、「延長モードキー２」（延長モードキー５０ｂ）に対して「圧縮率延長モード」、「延長モードキー３」に対して「階調数延長モード」が設定されている。
【００８７】
「白黒画像延長モード」とは、カラー画像を白黒画像に変換する処理を行う延長モードのことである。「圧縮率延長モード」とは、圧縮率を通常撮影時よりも上げる処理を行う延長モードのことである。「階調数延長モード」とは、階調数を通常撮影時よりも下げる処理を行う延長モードのことである。
【００８８】
次に、第２の実施形態の動作について説明する。
【００８９】
図８は第２の実施形態におけるデジタルカメラのモード割付け処理を示すフローチャートである。
【００９０】
例えばメニューキー１２の操作により「モード割付け」機能を指定すると（ステップＢ１１）、表示部１７にモード割付け画面５１が表示される（ステップＢ１２）。図７に示したように、このモード割付け画面５１には、デジタルカメラ１に設けられた撮影操作部５０の延長モードキー５０ａ〜５０ｃに対して、ユーザが任意の延長モードを割り付けるためのモード設定部５２、５３、５４が設けられている。
【００９１】
このモード設定部５２、５３、５４にユーザの望む延長モードの種類が入力され（ステップＢ１３）、「ＯＫ」ボタン５５が押下されると（ステップＢ１４のＹｅｓ）、当該モード割付け画面５１にて設定された内容がモード設定テーブル３２ａに記憶されて（ステップＢ１５）、ここでの処理が終了する。
【００９２】
モード設定テーブル３２ａは、延長モードキー５０ａ〜５０ｃに対して割り付けられた延長モードの種類を記憶しておくためのテーブルであって、制御部３２内に設けられる。動画撮影時に延長モードキー５０ａ〜５０ｃのいずれかが操作された際に、このモード設定テーブル３２ａが参照される。
【００９３】
次に、動画撮影時の処理動作について説明する。  
図９は第２の実施形態におけるデジタルカメラの動画撮影処理を示すフローチャートである。
【００９４】
まず、ユーザが図１に示したモードスイッチ１０の操作により動画モードを設定した状態で（ステップＣ１１）、シャッタキー９を押下すると（ステップＣ１２のＹｅｓ）、制御部３２はシャッタキー９が再度押下されるまでの間、動画の撮影処理を実行する（ステップＣ１３）。なお、このときの撮影処理の動作については図２で既に説明しているため、ここでは詳しい説明を省略するものとする。
【００９５】
初期状態では、通常の撮影モードが設定されており、動画撮影によって得られた動画データは画像処理部３７にて所定の方式で圧縮された後、メモリ３８に記録される。前記第１の実施形態で説明したように、「通常の撮影モード」とは、予め決められた記録レートで動画データを記録するモードのことであり、高画質が保証されている。
【００９６】
ここで、動画撮影中において、制御部３２は通常の撮影モードで撮影した場合の記録可能な撮影時間を算出すると共に、モード設定テーブル３２ａを参照して延長モードキー５０ａ〜５０ｃに現在設定されている延長モードを確認し、これらの延長モードを用いて撮影した場合の記録可能な撮影時間をそれぞれ算出し（ステップＣ１４）、これらの撮影時間を対比させて表示部１７の画面上に所定の位置に表示する（ステップＣ１５）。
【００９７】
なお、各モードの撮影時間は、現在のメモリ３８の残量とそれぞれの記録レートとに基づいて算出される。ここで言う「記録レート」とは、単位時間当たりの発生符号量のことであり、例えば「カラー画像を白黒画像に変換する」処理を行う延長モード（白黒画像延長モード）であれば、各画素毎にカラーデータを必要としない分、通常の撮影モードよりも発生符号量が少なく、記録レートは低くなる。
【００９８】
図１０は第２の実施形態におけるデジタルカメラの動画撮影中に表示される撮影時間の表示例を示す図である。この例では、表示部１７の右上部分に、通常の撮影モードにおける現時点での残りの撮影時間（８分２６秒）と、延長モードキー５０ａ〜５０ｃ毎に現在設定されている延長モードで撮影した場合の現時点での残りの撮影時間（１８分４２秒，１６分５２秒，１４分００秒）が並べて表示されている。この場合、現在設定されているモードに対応した撮影時間が例えば反転表示や別の色で表示されるなど、他のモードと区別可能な形態で表示される。
【００９９】
また、この画面上において、延長モードキー５０ａ〜５０ｃに対して現在設定されている延長モード（「白黒画像」，「圧縮率」，「階調数」）が表示される。
【０１００】
このように、撮影中に通常の撮影モードと各延長モードを用いた場合の撮影時間が比較可能な状態で表示されるので、ユーザは撮影中の表示画面を見ながら、このまま高画質を保ちながら通常の撮影モードで撮影を続けるか、画質を落としてでもいいから、延長モードを用いて撮影時間を延ばすべきかを適宜判断することができる。また、撮影時間を延ばす場合には、その延長方法（つまり延長モードの種類）を選ぶことができる。
【０１０１】
ここで、ユーザが延長モードキー５０ａ〜５０ｃのうちのいずれか１つのキーを押下すると（ステップＣ１６のＹｅｓ）、制御部３２はその延長モードキーに設定された延長モードの種類をモード設定テーブル３２ａを参照して判断し、その延長モードに対応した所定の処理にて通常時よりも記録レートを下げて動画データの記録を行うことで撮影時間を延長する（ステップＣ１７）。
【０１０２】
例えば、延長モードキー５０ａが押下された場合には、カラー動画から白黒画像に変えることで撮影時間を延長する。また、延長モードキー５０ｂが押下された場合には、動画データの圧縮率を通常時よりも高くして撮影時間を延長し、延長モードキー５０ｃが押下された場合には、動画データの階調数を通常時よりも下げて撮影時間を延長することになる。
【０１０３】
このような延長モードを用いた記録動作は、ユーザが当該延長モードキーを再度押下して延長モードを解除するまで継続的に行われる。この間、記録可能な撮影時間が通常の撮影モードよりも延長されることになる。
【０１０４】
また、このような延長モードが設定された状態で、ユーザにより当該延長モードキー（つまり、延長モードキー５０ａ〜５０ｃの中で前記ステップＣ１６で押下された延長モードキー）が再押下されると（ステップＣ１８のＹｅｓ）、制御部３２は延長モードを解除して記録レートを元の状態に戻して動画データの記録を行うことになる（ステップＣ１９）。
【０１０５】
シャッタキー９の再押下により動画撮影の終了を明示的に指示すると（ステップＣ２０のＹｅｓ）、ここでの動画撮影処理が終了する。
【０１０６】
このように、第２の実施形態では、前記第１の実施形態と同様に動画撮影中に任意のタイミングで延長モードを設定して残りの撮影時間を延ばすことができるといった効果に加え、撮影時間を延ばす方法（つまり延長モードの種類）をユーザが任意に選ぶことができるので、例えば白黒画像になっても、少しでも長く記録しておきたい大切な場面であるなど、その場面場面で延長方法を使い分けることができて便利である。
【０１０７】
なお、前記第２の実施形態では、３つの延長モードキー５０ａ〜５０ｃを用いたが、さらに多数のキーを用いて各種延長モードを任意選択的に設定できるようにしても良い。また、延長方法としては、「カラー画像を白黒画像に変換する」、「圧縮率を上げる」、「階調数を下げる」といったような方法に限らず、例えば「画像サイズを小さくする」、「フレームレートを下げる」、「ＹＵＶインタリーブを情報量の少ない方へ変換する」などの方法を用いても良い。
【０１０８】
また、例えば力を加えているときだけ押下しているようなプッシュボタン式の延長モードキー５０ａ〜５０ｃを用いることにより、ユーザがこれらの延長モードキー１８の中の１つを押し続けている間は、その延長モードキーに対応した延長モードを設定し、当該延長モードキーを離したときに延長モードを解除して通常の撮影モードに戻るような構成であっても良い。
【０１０９】
また、前記各実施形態では、「延長モードキー」といった特定のキースイッチの操作により、記録レートを下げて撮影時間を延長する場合について説明したが、本発明はこれに限るものではなく、例えば前記特定スイッチの操作により記録レートを通常撮影時よりも上げることで、その間の動画データを高画質で記録するような構成も可能である。
【０１１０】
この場合、前記各実施形態と同様に、その特定スイッチの１回の押下により当該モード（高画質モード）を設定して記録レートを変更し、再押下により当該モードを解除して記録レートを元に戻すようにしたり、あるいは、その特定スイッチを押し続けている間だけ当該モードを設定し、スイッチを離したら解除するといったような処理を行うことも可能である。
【０１１１】
また、前記各実施形態では、デジタルカメラを例にして説明したが、例えばデジタルムービカメラや、カメラ付き携帯電話など、動画撮影可能なカメラ機能を備えた電子機器であれば、その全てに本発明を適用することができる。
【０１１２】
要するに、本発明は前記各実施形態に限定されるものではなく、実施段階ではその要旨を逸脱しない範囲で種々に変形することが可能である。更に、前記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【０１１３】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１１４】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるＨＤ−ＤＶＤ９、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０１１５】
【図１】本発明の第１の実施形態における撮像装置として動画撮影可能なデジタルカメラを例にした場合の外観構成を示すものであり、図１（Ａ）が主に前面の、図１（Ｂ）が主に背面の構成を示す斜視図。
【図２】第１の実施形態におけるデジタルカメラの電子回路の構成を示すブロック図。
【図３】第１の実施形態におけるデジタルカメラの動画撮影処理を説明するためのフローチャート。
【図４】第１の実施形態におけるデジタルカメラの動画撮影中に表示される撮影時間の表示例を示す図。
【図５】第１の実施形態におけるデジタルカメラの通常撮影モードと延長モードの撮影時間を説明するための図。
【図６】本発明の第２の実施形態におけるデジタルカメラの撮影操作部の一例を示す図。
【図７】第２の実施形態におけるデジタルカメラのモード割付け画面の一例を示す図。
【図８】第２の実施形態におけるデジタルカメラのモード割付け処理を説明するためのフローチャート。
【図９】第２の実施形態におけるデジタルカメラの動画撮影処理を説明するためのフローチャート。
【図１０】第２の実施形態におけるデジタルカメラの動画撮影中に表示される撮影時間の表示例を示す図。
【符号の説明】
【０１１６】
１…デジタルカメラ、２…撮影レンズ、３…セルフタイマランプ、４…光学ファインダ窓、５…マイクロホン部（ＭＩＣ）、６…ストロボ発光部、７…ラバーグリップ、８…電源キー、９…シャッタキー、１０…モードスイッチ（ＳＷ）、１１…スピーカ部（ＳＰ）、１２…メニューキー、１３…十字キー、１４…セットキー、１５…光学ファインダ、１６…ストロボチャージランプ、１７…表示部、１８…延長モードキー、２１…モータ、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３２ａ…モード設定テーブル、３３…ＶＲＡＭコントローラ、３４…ＶＲＡＭ、３５…デジタルビデオエンコーダ、３６…キー入力部、３７…画像処理部、３８…メモリ、３９…ＵＳＢインタフェース（Ｉ／Ｆ）、４０…ストロボ駆動部、５０…撮影操作部、５０ａ〜５０ｃ…延長モードキー、５１…モード割付け画面、５２〜５４…モード設定部。
【図１】
2005260838.tif 000003
【図２】
2005260838.tif 000004
【図３】
2005260838.tif 000005
【図４】
2005260838.tif 000006
【図５】
2005260838.tif 000007
【図６】
2005260838.tif 000008
【図７】
2005260838.tif 000009
【図８】
2005260838.tif 000010
【図９】
2005260838.tif 000011
【図１０】
2005260838.tif 000012